【手続補正書】
【提出日】平成19年7月12日(2007.7.12)
【手続補正１】
【補正対象書類名】明細書
【補正対象項目名】特許請求の範囲
【補正方法】変更
【補正の内容】
【特許請求の範囲】
【請求項１】  １日を複数の制御時間帯に分割し、各制御時間帯毎にトイレ環境の制御モードを複数の中から選択する衛生装置であって、
トイレの使用を検出するトイレ使用検出手段と、
前記トイレ使用検出手段の出力に基づいて前記制御時間帯と重複し、且つ当該制御時間帯よりも長い検知時間帯のトイレ使用情報を記憶するトイレ使用情報記憶手段と、
該トイレ使用情報記憶手段により記憶されたトイレ使用情報に基づいて、次の日以降の前記トイレ環境の制御内容を決定する制御内容決定手段と、
該決定された制御内容に基づいて、前記制御時間帯及び前記制御時間帯の所定時間前からトイレ環境を制御するトイレ環境制御手段とを備えた衛生装置。
【請求項２】  トイレ環境の制御モードを複数有する衛生装置であって、
前記トイレの使用を検出するトイレ使用検出手段と、
１日を複数の検知時間帯に分割し、該時間帯毎にトイレ使用検出手段で検出されたトイレ使用情報を記憶するトイレ使用情報記憶手段と、
前記検知時間帯のうち隣接する前後の検知時間帯のトイレ使用情報に基づいて、次の日以降の前記トイレ環境の制御内容を決定する制御内容決定手段と、
該決定された制御内容に基づいて、前記検知時間帯とは所定時間ずらして設けられ且つ前記隣接する前後の検知時間帯の境界を含んだ制御時間帯及び前記制御時間帯の所定時間前から前記トイレ環境を制御するトイレ環境制御手段とを備えた衛生装置。
【請求項３】  トイレ環境の制御モードを複数有する衛生装置であって、
前記トイレの使用を検出するトイレ使用検出手段と、
１日を複数の検知時間帯に分割し、該検知時間帯毎にトイレ使用検出手段で検出されたトイレ使用情報を記憶するトイレ使用情報記憶手段と、
前記検知時間帯及び当該検知時間帯に隣接する前後の検知時間帯のトイレ使用情報に基づいて、次の日以降の前記トイレ環境の制御内容を決定する制御内容決定手段と、
該決定された制御内容に基づいて、前記検知時間帯及び前の検知時間帯の前記トイレ環境を制御するトイレ環境制御手段とを備えた衛生装置。
【請求項４】  トイレの使用を検出するトイレ使用検出手段と、前記トイレ使用検出手段の出力に基づいて１日を複数に分割した検知時間帯毎の使用の有無若しくは使用回数を記憶する検知時間帯別記憶手段と、該検知時間帯別記憶手段の出力に基づいて、該時間帯よりも短い制御時間帯のトイレ環境の制御内容を決定する制御内容決定手段と、該決定された制御内容に基づいて前記制御時間帯よりも所定時間前から前記トイレ環境を制御するトイレ環境制御手段とを備えた衛生装置。
【請求項５】  請求項１〜４のうちいずれか１項に記載された衛生装置であって、前記制御内容決定手段は、各検知時間帯におけるトイレの使用され易さを表す指標たるトイレ使用頻度を、前記記憶されているトイレ使用情報に基づいて算出する使用頻度算出手段を備え、前記算出されたトイレ使用頻度に基づいて、次の日以降の各制御時間帯における前記トイレ環境の制御内容を決定する手段であり、前記使用頻度算出手段によりトイレ使用頻度が零と判断した場合には、前記制御内容決定手段は、凍結による機器損傷がなされない温度を目標温度として決定することを特徴とする衛生装置。
【手続補正２】
【補正対象書類名】明細書
【補正対象項目名】０００３
【補正方法】変更
【補正の内容】
【０００３】
トイレが使用されないときでも便座や洗浄水を暖めておくためには、電力などのエネルギを多量に消費することから、トイレ環境の快適さを損なわない範囲でエネルギ消費量の節約を図る技術が提案されている。例えば、特開平５−１６１５７２号、特開２０００−６４３８７号には、トイレ使用者の人体を検出することによってトイレが使用される時間帯を学習し、学習結果からトイレが使用される時間帯を予測して、便座や洗浄水等の温度を制御する技術が開示されている。かかる技術を用いれば、トイレの使用が予測された時間帯では便座や洗浄水等の温度を暖めて、トイレを快適に使用し、一方で使用が予測されない時間帯では便座等の制御温度を低めに設定することによってエネルギの節約を図ることができる。
【特許文献１】特開平５−１６１５７２号公報
【特許文献２】特開２０００−６４３８７号公報
【手続補正３】
【補正対象書類名】明細書
【補正対象項目名】０００７
【補正方法】変更
【補正の内容】
【０００７】
【課題を解決するための手段およびその作用・効果】
上述の課題の少なくとも一部を解決するため、本発明の衛生装置は次の構成を採用した。すなわち、１日を複数の制御時間帯に分割し、各制御時間帯毎にトイレ環境の制御モードを複数の中から選択する衛生装置であって、トイレの使用を検出するトイレ使用検出手段と、前記トイレ使用検出手段の出力に基づいて前記制御時間帯と重複し、且つ当該制御時間帯よりも長い検知時間帯のトイレ使用情報を記憶するトイレ使用情報記憶手段と、該トイレ使用情報記憶手段により記憶されたトイレ使用情報に基づいて、次の日以降の前記トイレ環境の制御内容を決定する制御内容決定手段と、該決定された制御内容に基づいて、前記制御時間帯及び前記制御時間帯の所定時間前からトイレ環境を制御するトイレ環境制御手段とを備えることを要旨とする。
【手続補正４】
【補正対象書類名】明細書
【補正対象項目名】０００８
【補正方法】変更
【補正の内容】
【０００８】
また、トイレ環境の制御モードを複数有する衛生装置であって、前記トイレの使用を検出するトイレ使用検出手段と、１日を複数の検知時間帯に分割し、該時間帯毎にトイレ使用検出手段で検出されたトイレ使用情報を記憶するトイレ使用情報記憶手段と、前記検知時間帯のうち隣接する前後の検知時間帯のトイレ使用情報に基づいて、次の日以降の前記トイレ環境の制御内容を決定する制御内容決定手段と、該決定された制御内容に基づいて、前記検知時間帯とは所定時間ずらして設けられ且つ前記隣接する前後の検知時間帯の境界を含んだ制御時間帯及び前記制御時間帯の所定時間前から前記トイレ環境を制御するトイレ環境制御手段とを備えることを要旨とする。
【手続補正５】
【補正対象書類名】明細書
【補正対象項目名】００１０
【補正方法】変更
【補正の内容】
【００１０】
また、トイレの使用を検出するトイレ使用検出手段と、前記トイレ使用検出手段の出力に基づいて１日を複数に分割した検知時間帯毎の使用の有無若しくは使用回数を記憶する検知時間帯別記憶手段と、該検知時間帯別記憶手段の出力に基づいて、該時間帯よりも短い制御時間帯のトイレ環境の制御内容を決定する制御内容決定手段と、該決定された制御内容に基づいて前記制御時間帯よりも所定時間前から前記トイレ環境を制御するトイレ環境制御手段とを備えることを要旨とする。
【手続補正６】
【補正対象書類名】明細書
【補正対象項目名】００２９
【補正方法】変更
【補正の内容】
【００２９】
本発明の衛生装置では、所定の複数日分の同一検知時間帯のトイレ使用情報を記憶し、該記憶したトイレ使用情報に基づいてトイレ使用頻度を算出するようにしてもよい。こうすれば、算出するトイレ使用頻度の精度を高めるためることができ、トイレ環境を犠牲にすることなく衛生装置のエネルギ使用量の節約を図ることができるので好適である。
【手続補正７】
【補正対象書類名】明細書
【補正対象項目名】００９９
【補正方法】変更
【補正の内容】
【００９９】
累積値Ｓｍ１（１）が求められたら、これを２つの閾値ｔｈ１，ｔｈ２（ただし、ｔｈ１＜ｔｈ２）と比較することにより、トイレの使用頻度大，使用頻度中，使用頻度小の３つに場合分けする。まず、累積値Ｓｍ１（１）をｔｈ１と比較し（ステップＳ２０６）、累積値Ｓｍ１（１）がｔｈ１より小さい場合はトイレ使用頻度が小さいことを示す値「０」をＦ（１）に代入する（ステップＳ２１４）。累積値Ｓｍ１（１）がｔｈ１より大きい場合は、累積値Ｓｍ１（１）をｔｈ２と比較し（ステップＳ２０８）、累積値Ｓｍ１（１）がｔｈ２より大きい場合はトイレ使用頻度が大きいことを示す値「２」をＦ（１）に代入する（ステップＳ２１０）。累積値Ｓｍ１（１）がｔｈ１より大きく、ｔｈ２より小さい場合は使用頻度が中程度であることを示す値「１」をＦ（１）に代入する（ステップＳ２１２）。